(57)【要約】【課題】用途に応じたサイズ及び種類の手持ちの付箋積層体を何度でも繰り返し補充可能で、使用上の利便性に優れていること。【解決手段】ベース板１と、該ベース板の下端部にその基端部が一体的に接続する付箋積層体Ｙ用の薄い板状の押え板２とから成り、付箋積層体Ｙの一番下位の付箋紙ａを押え板の裏面とベース板の表面でサンドイッチ状態に挟持すると共に、該挟持状態で付箋積層体の一番上側に位置する付箋紙を剥がすことができる付箋用保持具。【選択図】図４
2019014248.tif 000002
【特許請求の範囲】
【請求項１】
ベース板（１）と、該ベース板の下端部にその基端部が一体的に接続する付箋積層体（Ｙ）用の薄い板状の押え板（２）とから成り、
前記付箋積層体（Ｙ）の一番下位の付箋紙（ａ）を前記押え板の裏面と前記ベース板の表面でサンドイッチ状態に挟持すると共に、該挟持状態で付箋積層体（Ｙ）の一番上側に位置する付箋紙を剥がすことができる付箋用保持具。
【請求項２】
請求項１の付箋用保持具に於いて、ベース板と押え板は一枚の板状部材よりなり、前記ベース板と押え板の接続部分は折り曲げ形成されていることを特徴とする付箋用保持具。
【請求項３】
請求項１の付箋用保持具に於いて、ベース板と押え板はそれぞれ単体の部品であり、前記ベース板の下端部に前記押え板の基端部が一体的に固定されていることを特徴とする付箋用保持具。
【請求項４】
ベース板（１）と、該ベース板にスライド可能に設けられた付箋積層体（Ｙ）用の薄い帯状押え板（２Ａ）とから成り、
前記付箋積層体のセット時、前記ベース板の表面と前記帯状押え板との間で形成された重合領域に、前記付箋積層体の少なくとも一番下側に位置する付箋紙（ａ）を差し込み、
前記一番下位の付箋紙を前記重合領域に挟持した状態で直接書き込みし、前記付箋積層体の一番上側に位置する付箋紙を剥がすことができる付箋用保持具。
【請求項５】
ベース板（１Ｂ）と、該ベース板の表面に取り外し可能に設けられる付箋積層体（Ｙ）用の薄い板状の押え板（２Ｂ）とから成り、
前記付箋積層体の一番下位の付箋紙（ａ）を前記押え板の裏面と前記ベース板の表面でサンドイッチ状態に挟持すると共に、該挟持状態で付箋積層体（Ｙ）の一番上側に位置する付箋紙を剥がすことができる付箋用保持具。
【請求項６】
ベース板（１Ｃ）と、該ベース板の表面に一端から他端にかけて形成された表面向きの横方向嵌合凹所（７）と、この横方向嵌合凹所に取り外し可能に嵌合する付箋積層体（Ｙ）用の押え部材（２Ｃ）とから成り、
前記付箋積層体の一番下位の付箋紙（ａ）を、前記横方向嵌合凹所（７）と内面と前記押え部材（２Ｃ）の嵌合部位とで挟持すると共に、該挟持状態で付箋積層体（Ｙ）の一番上側に位置する付箋紙を剥がすことができる付箋用保持具。
【請求項７】
請求項１、請求項４、請求項５、請求項６のいずれかに記載の付箋用保持具に於いて、該ベース板の上端部あるいは上端部寄りの部位の上面に横棒状のストッパー（３）が設けられていることを特徴とする付箋用保持具。
【請求項８】
請求項１、請求項４、請求項５、請求項７のいずれかに記載の付箋用保持具に於いて、ベース板にバインダーノートに収納可能な穴を設けたことを特徴とする付箋用保持具。
【請求項９】
ベース板（１Ｄ）と、該ベース板の下端部にその基端部が一体的に接続する付箋積層体（Ｙ）用の薄い板状の押え板（２Ｄ）と、前記ベース板の上端部に接続し、かつ、折り曲げ片部を介して折り返され、その先端部（１０ａ）側が前記ベース板の裏面に接触或いは接近するように延びるクリップ片（１０）から成る付箋用保持具であって、
前記付箋積層体の一番下位の付箋紙（ａ）を前記押え板の裏面と前記ベース板の表面でサンドイッチ状態に挟持すると共に、該挟持状態で付箋積層体（Ｙ）の一番上側に位置する付箋紙を剥がすことができ、さらに、前記付箋用保持具を、扁平状支持体の端部に前記クリップ片（１０）を介して係止させることができる付箋用保持具。
【請求項１０】
左右の両端部にそれぞれ係止部（２１）を有するベース板（１Ｄ）と、該ベース板の下端部にその基端部が一体的に接続する付箋積層体（Ｙ）用の薄い板状の押え板（２Ｄ）とから成る付箋用保持具であって、
前記付箋積層体（Ｙ）の一番下位の付箋紙（ａ）を前記押え板の裏面と前記ベース板の表面でサンドイッチ状態に挟持すると共に、該挟持状態で付箋積層体（Ｙ）の一番上側に位置する付箋紙を剥がすことができ、さらに、前記付箋積層体（Ｙ）が付箋用保持具から外れないように前記係止部（２１）に環状の弾性押え部材（２２）を掛けて前記付箋積層体（Ｙ）を前記ベース板（１Ｄ）に押え付けることができる付箋用保持具。
【請求項１１】
左右の両端部にそれぞれ係止部（２１）を有するベース板（１Ｅ）と、該ベース板の下端部にその基端部が一体的に接続する付箋積層体（Ｙ）用の薄い板状の押え板（２）とから成る付箋用保持具であって、
前記付箋積層体（Ｙ）の一番下位の付箋紙（ａ）を前記押え板の裏面と前記ベース板の表面でサンドイッチ状態に挟持すると共に、該挟持状態で付箋積層体（Ｙ）の一番上側に位置する付箋紙を剥がすことができ、さらに、前記付箋用保持具が扁平状支持体から離れないように前記係止部（２１）に環状の弾性押え部材（２２）を掛け、かつ該付箋用保持具を前記扁平状支持体に装着させることができる付箋用保持具。
【発明の詳細な説明】
【技術分野】
【０００１】
本発明は付箋用保持具に関する。
【背景技術】
【０００２】
特許文献１の付箋紙保持体１０は、ベース板１５を折り曲げることにより、複数の機能（束になっている付箋積層体を載せる、傾斜壁に宣伝広告用の表示部を設ける）を持たせるものである（符号は特許文献１のもの）。しかし、この特許文献１の付箋紙保持体１０は、例えば事務机の上面やテーブルの上面にしか置くことができない、立体的な構造体なので、携帯性に問題がある等の欠点がある。この点、特許文献２の付箋紙フレームも、２枚のパネルを山形状に接合し、一方のパネルの傾斜面に付箋積層体を載せるので、置く場所に制約を受けるという同様の問題点がある。さらに、付箋積層体を固定するための接着層を設ける必要があるため、付箋紙を使い切った後は再利用が難しいという問題点がある。
【０００３】
そこで、現在、特許文献の問題点に鑑み、付箋ディスペンサーの機能を持たせると共に、さらに、携帯性、軽量性、付箋束のセット性、一番上側に位置する付箋紙の剥離の容易性、使用上の利便性、置き場所の任意性等を十分に発揮させることができる付箋用保持具の出現が要望されている。
【先行技術文献】
【特許文献】
【０００４】
【特許文献１】特開８−１８３５７４号公報
【特許文献２】実用新案登録第３１１８６６９号公報
【発明の概要】
【発明が解決しようとする課題】
【０００５】
本発明の主たる課題は、簡易な構成を採用することにより、異なるサイズ又は／及び同一種類の手持ちの付箋積層体を何度でも繰り返して補充可能である（付箋ディスペンサーの機能を有する）と共に、使用時、直接書き込みし、当該一番上側に位置する付箋紙を容易に剥がすことができる付箋用保持具を提案することである。
【０００６】
次に、本発明の二次的課題として、付箋束のセットが容易であること、セットした付箋束が付箋用保持具の所定位置からスライドして薄い板状の押え板から外れないようにすること、付箋束の拘束性に優れていること、付箋用保持具自体を書籍やノート等の扁平状保持体に保持させること、任意の場所に置くことができること、軽量性や耐久性に優れていること等である。なお、付箋積層体が上方に位置変位してベース板から食み出るのを防止する移動防止性、任意の場所（例えばバインダーノートの中）に取り付ける利便性、付箋束を環状の弾性押え部材を用いて付箋用保持具自体に押え付ける付箋束の拘束性、付箋用保持具を書籍やノート等の扁平状保持体に保持させる付箋用保持具自体の保持性等の課題は、主たる課題（本発明の限定目的）ではなく、あくまでも、付随的なものである。
【課題を解決するための手段】
【０００７】
本発明は、ベース板（１）と、該ベース板の下端部にその基端部が一体的に接続する付箋積層体（Ｙ）用の薄い板状の押え板（２）とから成り、前記付箋積層体の一番下位の付箋紙（ａ）を前記押え板の裏面と前記ベース板の表面でサンドイッチ状態に挟持すると共に、該挟持状態で付箋積層体（Ｙ）の一番上側に位置する付箋紙を剥がすことができることを特徴とする（請求項１の発明）。
【０００８】
また本発明は、ベース板（１）と、該ベース板にスライド可能に設けられた付箋積層体（Ｙ）用の薄い帯状押え板（２Ａ）とから成り、前記付箋積層体のセット時、前記ベース板の表面と前記帯状押え板との間で形成された重合領域に、前記付箋積層体の少なくとも一番下側に位置する付箋紙（ａ）を差し込み、前記一番下位の付箋紙を前記重合領域に挟持した状態で直接書き込みし、前記付箋積層体の一番上側に位置する付箋紙を剥がすことができることを特徴とする（請求項４の発明）。
【０００９】
また本発明は、ベース板（１Ｂ）と、該ベース板の表面に取り外し可能に設けられる付箋積層体（Ｙ）用の薄い板状の押え板（２Ｂ）とから成り、前記付箋積層体（Ｙ）の一番下位の付箋紙（ａ）を前記押え板の裏面と前記ベース板の表面でサンドイッチ状態に挟持すると共に、該挟持状態で付箋積層体（Ｙ）の一番上側に位置する付箋紙を剥がすことができることを特徴とする（請求項５の発明）。
【００１０】
また本発明は、ベース板（１Ｃ）と、該ベース板の表面に一端から他端にかけて形成された表面向きの横方向嵌合凹所（７）と、この横方向嵌合凹所に取り外し可能に嵌合する付箋積層体（Ｙ）用の押え部材（２Ｃ）とから成り、前記付箋積層体の一番下位の付箋紙（ａ）を、前記横方向嵌合凹所（７）と内面と前記押え部材（２Ｃ）の嵌合部位の嵌合面とで挟持することができると共に、該挟持状態で付箋積層体（Ｙ）の一番上側に位置する付箋紙を剥がすことができることを特徴とする（請求項６の発明）。
【００１１】
また本発明は、ベース板（１Ｄ）と、該ベース板の下端部にその基端部が一体的に接続する付箋積層体（Ｙ）用の薄い板状の押え板（２Ｄ）と、前記ベース板の上端部に接続し、かつ、折り曲げ片部を介して折り返され、その先端部（１０ａ）側が前記ベース板の裏面に接触或いは接近するように延びるクリップ片（１０）から成る付箋用保持具であって、前記付箋積層体の一番下位の付箋紙（ａ）を前記押え板の裏面と前記ベース板の表面でサンドイッチ状態に挟持すると共に、該挟持状態で付箋積層体（Ｙ）の一番上側に位置する付箋紙を剥がすことができ、さらに、前記付箋用保持具を、扁平状支持体の端部に前記クリップ片（１０）を介して係止させることができる付箋用保持具である（請求項９の発明）。
【００１２】
また本発明は、左右の両端部にそれぞれ係止部（２１）を有するベース板（１Ｄ）と、該ベース板の下端部にその基端部が一体的に接続する付箋積層体（Ｙ）用の薄い板状の押え板（２Ｄ）とから成る付箋用保持具であって、前記付箋積層体（Ｙ）の一番下位の付箋紙（ａ）を前記押え板の裏面と前記ベース板の表面でサンドイッチ状態に挟持すると共に、該挟持状態で付箋積層体（Ｙ）の一番上側に位置する付箋紙を剥がすことができ、さらに、前記付箋積層体（Ｙ）が付箋用保持具から外れないように前記係止部（２１）に環状の弾性押え部材（２２）を掛けて前記付箋積層体（Ｙ）を前記ベース板（１Ｄ）に押え付けることができる付箋用保持具である（請求項１０の発明）。
【００１３】
さらに、本発明は、左右の両端部にそれぞれ係止部（２１）を有するベース板（１Ｅ）と、該ベース板の下端部にその基端部が一体的に接続する付箋積層体（Ｙ）用の薄い板状の押え板（２）とから成る付箋用保持具であって、前記付箋積層体（Ｙ）の一番下位の付箋紙（ａ）を前記押え板の裏面と前記ベース板の表面でサンドイッチ状態に挟持すると共に、該挟持状態で付箋積層体（Ｙ）の一番上側に位置する付箋紙を剥がすことができ、さらに、前記付箋用保持具が扁平状支持体から離れないように前記係止部（２１）に環状の弾性押え部材（２２）を掛け、かつ該付箋用保持具を前記扁平状支持体に装着させることができる付箋用保持具である（請求項１１の発明）。
【００１４】
上記各独立請求項に記載の各発明は、発明の主たる課題が共通することから、発明の単一性の要件を満たすものである。
【発明の効果】
【００１５】
（ａ）独立請求項（請求項１、請求項４、請求項５、請求項６、請求項９、請求項１０、請求項１１）に記載の各発明は、簡易な構成により、付箋ディスペンサーの機能を持たせると共に、使用時、直接書き込みし、当該一番上側に位置する付箋紙を容易に剥がすことができる。なお、使用時、付箋積層体が上方に位置変位してベース板から突出するのを防止すること、任意の場所（例えばバインダーノートの中）に取り付けること等の効果、また携帯性や軽量性、付箋束のセット性、使用上の利便性、置き場所の任意性、付箋積層体の拘束性、付箋用保持具の保持性等を十分に発揮させる効果、軽量性・耐久性・製作容易性の効果等は、本発明の付随的効果である。したがって、引用文献如何によっては、横棒状ストッパー、バインダーノートに収納可能な穴、ベース板の上端部にクリップを一体的に設ける、ベース板の左右両端部に環状の弾性押え部材用の係止部を形成する等の他の構成要素を、例えば請求項１に「特定要件」として適宜に加味することができる。またベース板の大きさ、形状、材質を適宜に設計変更することができる。
（ｂ）請求項２に記載の発明は、ベース板と押え板は、一枚の板状部材よりなり、前記ベース板と押え板の接続部分は折り曲げ形成されているので、製作が容易である。
（ｃ）請求項３に記載の発明も、溶着、接着等の固定手段で二つの単体部品を一体的にすることができるから、任意形状の付箋用保持具を製作することができる。
（ｄ）一つの実施形態では、ベース板と付箋紙が押え板の特性により、密着性がより増すので、摩擦抵抗が強固となる。したがって、付箋積層体がベース板から容易に離れない。
（ｅ）また他の実施形態では、例えばベース板に磁石を取付けたり、穴を開けて鋲で留めたりできる。したがって、使用者は、自己の好きな場所（例えばラックの側壁、パネルの壁面など）に自在に装着することができると共に、付箋用保持具は所望するパネル壁や平面に固定されていることから、付箋積層体の一番外側の付箋紙を片手で極めて容易に剥離することができる。
（ｆ）さらに、他の実施形態では、例えばベース板に直接バインダーノートに収納可能な穴を設けることで、付箋貼り付け対象であるノートと一緒に持ち歩くことができる。
（ｇ）加えて、他の実施形態では、例えば付箋用保持具を、扁平状支持体の上端部にクリップ片を介して係止させることができる、付箋積層体が付箋用保持具から外れないように一対の係止部に環状の弾性押え部材を掛けて付箋積層体をベース板に押え付けることができる、付箋用保持具がノート、参考書等の扁平状支持体から離れないように一対の係止部に環状の弾性押え部材を掛け、かつ該付箋用保持具を扁平状支持体に装着させることができる等の効果がある。
【図面の簡単な説明】
【００１６】
図１乃至図５は本発明の第１実施形態を示す各説明図。図６乃至図１０は本発明の第２実施形態を示す各説明図。図１１乃至図１４は本発明の第３実施形態を示す各説明図。図１５乃至図１８は本発明の第４実施形態を示す各説明図。図１９は本発明の第５実施形態を示す説明図。図２０乃至図２３は本発明の第６実施形態を示す各説明図。図２４及び図２５は本発明の第７実施形態を示す各説明図。図２６乃至図２９は本発明の第８実施形態を示す各説明図。
【図１】本発明の第１実施形態の斜視図。
【図２】図１の２−２線断面図。
【図３】押え板の自由端部を指で手前側に起こし、一番下の付箋を差し込む説明図。
【図４】付箋をベース板の上面にセットした説明図。
【図５】図４の５−５線断面図。
【図６】本発明の第２実施形態の斜視図。
【図７】図６の７−７線断面図。
【図８】帯状押え板の裏側に一番下の付箋を差し込む説明図。
【図９】付箋をベース板の上面にセットした説明図。
【図１０】図９の１０−１０線断面図。
【図１１】本発明の第３実施形態の斜視図。
【図１２】各部材の位置関係を示す概略説明図。
【図１３】使用状態の一例を示す斜視からの説明図。
【図１４】図１３の１４−１４線断面図。
【図１５】本発明の第４実施形態の斜視図。
【図１６】各部材の位置関係を示す概略説明図。
【図１７】使用状態の一例を示す斜視からの説明図。
【図１８】図１３の１４−１４線断面図。
【図１９】本発明の第５実施形態を示す説明図。
【図２０】本発明の第６実施形態の斜視図。
【図２１】図２０の２１−２１線断面図。
【図２２】付箋用保持具の使用の一例を示す概略説明図。
【図２３】図２２に於ける使用時の一例を示す説明図。
【図２４】本発明の第７実施形態の斜視図。
【図２５】使用時、左右の係止部に環状の弾性押え部材を掛け、付箋積層体（Ｙ）を押え付けた状態の説明図。
【図２６】本発明の第８実施形態の斜視図。
【図２７】図２６に於いて、左右一対の係止部に環状の弾性押え部材を引っ掛けた一例を示す説明図。
【図２８】左右一対の係止部に環状の弾性押え部材を掛けかつ付箋用保持具を扁平状支持体の表紙或いは裏表紙に装着させることができる使用例を示す概略説明図。
【図２９】左右一対の係止部に環状の弾性押え部材を掛けかつ付箋用保持具を扁平状支持体に挟み込んだ状態で装着させることができる他の使用例を示す概略説明図。
【発明を実施するための最良の形態】
【００１７】
本発明の実施形態の付箋保持具Ｘは、例えば携帯性、軽量性、付箋束のセット性、使用上の利便性、置き場所の任意性、付箋束自体の保持具に対する拘束性、保持具自体の支持体に対する保持性等を考慮して、好ましくは合成樹脂材や適当な金属で一つの薄型板状体に形成されている。付箋保持具Ｘは、複数の付箋紙の一端部を、粘着層を介して閉じ、かつ、束状に積み重ねた付箋束（以下、ここでは「付箋積層体Ｙ」という）を、簡単にセットすることができると共に、セット後は、ベース板１から自然落下しないように保持することもできる。本発明は、例えば「使用時、任意の場所（例えばバインダーノート）に取り付け、かつ直接書き込みし、当該一番上側に位置する付箋紙を容易に剥がすことができるように構成する」のが好ましい。
【００１８】
まず、図１乃至図５は本発明の第１実施形態を示す各説明図である。図１に於いて、１は所定形状（一例として矩形状）の薄い板状に形成された合成樹脂製或いは金属製のベース板で、このベース板１は基板本体に相当する。３はベース板１の上面に設けられた単数又は複数の横棒状のストッパーで、このストッパー３は、ベース板１の上面に付箋積層体Ｙをセットしたとき、付箋積層体Ｙの閉じ側端部の端面を受け止め、付箋積層体Ｙが該ストッパー３を乗り越えて付箋保持具Ｘの重合領域４から抜けないようにする役割を果たす。このストッパー３は、好ましくはベース板１の上端部にその上辺に沿って一連に一つ形成するのが好ましいが、もちろん、略中央部、左右両端部、略左右両端部寄りの部位にそれぞれ複数個形成しても良い。
【００１９】
したがって、付箋積層体Ｙがベース板１の上面を上方方向にスライド（位置変位）しても、付箋積層体Ｙはベース板１の上端縁から食み出ることはない。
【００２０】
２はベース板１の上面にその略全体が重なるように一端部が接続すると共に、自由端部が前記ストッパー３に所定間隔離れている弾性の薄い押え板である。この薄い押え板２は、ベース板１の形状と大きさ及びストッパー３の形状と位置を考慮してやや硬質の合成樹脂材或いは金属（アルミニュームやステンレス）で所定形状に成形されている。ベース板１の形状と大きさ及びストッパー３のそれは、ノートブック、参考書等の大きさを考慮して決めるのが好ましい。
【００２１】
なお、本発明の各実施形態に於いて、前記ストッパー３は単数の横棒を用いているが、該ストッパー３は発明の本質的事項ではないものの、好ましくは付箋積層体Ｙが上方に位置変位した場合に所定位置で止めるために便宜上用いられている。
【００２２】
そこで、さらに図２乃至図５を参照にして第１実施形態の付箋保持具Ｘの構成を詳しく説明すると、付箋保持具Ｘは、矩形状のベース板１と、この矩形状ベース板の上端部１ａあるいは上端部寄りの部位の上面に、その直線状の上縁に沿って一体的に設けられた単数又は複数の凸（例えば突条）のストッパー３と、前記ベース板１の下端部１ｂにその基端部２ａが一体的に接続すると共に、自由端部２ｂが前記ストッパー３の内面３ａに対して所定間隔Ｌ離れ、かつ、材質自体の弾性力に抗して外方向に弾性変位可能な薄い板状の押え板２とから成る。
【００２３】
そして、図３で示すように、付箋積層体Ｙのセット時、前記ベース板１の表面と前記押え板２の内面との間で形成された重合領域４に、前記押え板２の自由端部２ｂを引き起こした状態で前記付箋積層体Ｙの少なくとも一番下側に位置する付箋紙ａの非粘着部分を差し込み、例えば図４で示すように事務机の上に付箋保持具Ｘに置き、又は図５で示すようにラックの垂直側壁、仕切りパネル等の垂直壁Ｗに接着剤、係止具、磁石等の図示しない設置手段を介して使用する時、前記一番下位の付箋紙ａを前記重合領域４内にサンドイッチ状態に挟持した状態でその余の積層付箋紙ｂを前記押え板２の表面に載せることができる。
【００２４】
図２は図１の２−２線断面図であるが、この図２で示すように、付箋保持具Ｘは、望ましくはベース板１と押え板２は、一枚の板状部材よりなり、前記ベース板１と押え板２の接続部分５は重なるように折り曲げ形成されている。もちろん、図２は一実施例であり、前記接続部分５に関しては任意に設計変更をすることができる。
【００２５】
付言すると、任意形状のベース板１と押え板２をそれぞれデザイン性或いは意匠性を考慮してそれぞれ単体に製作し、これらを一体的に接続する。例えばベース板１と押え板２は、図示しない単数又は複数の細長棒体、細長板体、帯状片等の薄い介在部材を介して互いに接続する。その場合の接続手段は接着や溶着であり、例えば圧着により、ベース板１と押え板２を一体的に接続する。
【００２６】
またベース板１と押え板２の各厚みや材質に関して、両方を略同じ肉厚に設定しても良いが、例えば押え板２の厚さに対してベース板１の方をやや厚くすることができる。実施形態では、ベース板１及び押え板２は同じ材質のやや硬質の合成樹脂材又は金属（アルミニュームやステンレス）を用いて一体成形しているので、両方１，２は同じ厚みであると共に、同じ硬さであり、かつ、好ましくは弾性変形可能である。また、ベース板１と押え板２の左右方向の寸法に関して、例えば押え板２の自由端部の左右端部に摘まみ部用の突片を設けても良い。またベース板の四隅（角部）は、直角、丸み等のいずれに形成しても良い。
【００２７】
さらに、押え板２の材質について、実施形態では、図３で示すように付箋積層体Ｙのセット性を考慮し、少なくとも薄い押え板２は平面体であり、例えば指で自由端部２ｂを手前側に引き起こすと、平面体の形状を確保しながら（硬質的機能）、接続部５を基点にして外方向にやや湾曲状に反り（弾性変形機能）、そして、指を自由端部２ｂから離すと、瞬間的に図１及び図２で示すように元の状態に戻る（弾性復帰機能）材質を適宜に選択している。
【００２８】
であるから、ベース板１の材質は別として、接続部５及び押え板２の材質に関しては、上記の機能を有しないシート状のゴムや紙、木材は適切ではない。
【００２９】
ストッパー３の個数や形状に関して、製作の容易性を考慮すると、実施形態の如く、一本の細長い多角形の棒状体が望ましい。またその断面の厚さは、例えば図５で示すように、付箋積層体Ｙの厚みを考慮して、それと略同じ、又は付箋積層体Ｙの厚みよりもやや肉厚があるようにするのが好ましい。さらに、ストッパー３は容易に変形しない材質のものを適宜に採用している。
【００３０】
次に、他の図面を参照にして、本発明の第２実施形態乃至第８実施形態を説明する。なお、これらの実施形態の説明に当って、第１実施形態と同一の部分には同一又は同様の符号を付して重複する説明を割愛する。
【００３１】
図６乃至図１０は、本発明の第２実施形態の付箋用保持具Ｘ１を示す各説明図である。各図に於いて、１はベース板、２Ａは帯状押え板、３はストッパーである。図６と図１とを比較すると、第１実施形態の押え板２は、ベース板１に対してその基端部（図面では下端部）２ａがベース板１の下端部１ｂに一体的に接続する固定板であるのに対して、この第２実施形態の帯状押え板２Ａは、ベース板１に対して上下方向に位置変位可能な可動板である。
【００３２】
実施形態では、帯状押え板２Ａは可撓性を有する材質でループ状に形成され、図６で示すようにベース板１の略中央部の表面及び裏面の両方に略密着状態に外嵌合し、略水平状態のストッパー３の内面３ａに対してスライド可能に接近又は離れることが可能である。したがって、ストッパー３の内面３ａとループ状の帯状押え板２Ａの上縁の間の間隔Ｌは任意に変更可能である。
【００３３】
なお、帯状押え板２Ａは、必ずループ状にする必要はなく、例えば帯状板の左右両端部をそれぞれ内側にコ字形状或いは鉤形状に折り曲げ、該左右の対向両端部をベース板１の左右端部と係合する摺接係合部にしても良い。また、ここで「帯状」とは、発明の課題を逸脱しない範囲のやや幅が狭い組紐状の形状も含まれる。さらに、ベース板１の左右方向の幅寸法に関して、下端部１ｂから上端部に至るにしたがってやや広くなる（逆台形状）ようにしても良い。
【００３４】
したがって、この第２実施形態の付箋用保持具Ｘ１は、ベース板１と、このベース板の上端部１ａあるいは上端部寄りの部位の上面に一体的に設けられた単数又は複数のストッパー３と、前記ベース板の前記ストッパー以外の部位にスライド可能に設けられた帯状押え板２Ａとから成り、付箋積層体Ｙのセット時、前記ベース板１の表面と前記帯状押え板２Ａとの間で形成された重合領域４Ａに、前記付箋積層体Ｙの少なくとも一番下側に位置する付箋紙ａの非粘着部分を差し込み、使用時、前記一番下位の付箋紙ａを前記重合領域４Ａに挟持した状態でその余の積層付箋紙ｂを、少なくとも前記押え板２Ａの表面に載せるものである。
【００３５】
次に、図１１乃至図１４は、本発明の第３実施形態の付箋用保持具Ｘ２を示す各説明図である。例えば図１１に於いて、１Ｂは第１実施形態と同様のベース板であるが、該ベース板１Ｂの材質は、押え板２Ｂが吸着（磁着）するもので出来ている。例えば金属材としての鉄系のスチールである。もちろん、発明の課題を逸脱しない範囲で、押え板２Ｂを合成樹脂材で製作し、その上面に磁性体を敷設しても良い。
【００３６】
一方、２Ｂは該ベース板の表面に取り外し可能に設けられる付箋積層体Ｙ用の薄い板状の押え板である。前記押え板２Ｂは、前記ベース板１Ｂの表面に吸着するマグネットシート又は前記ベース板１Ｂの表面に該ベース板の極性に対応して吸着するマグネットシートのいずれかである。つまり、一方が「Ｓ極」ならば、他方は「Ｎ極」である。
【００３７】
したがって、この第３実施形態の付箋用保持具Ｘ２は、ベース板１Ｂと、該ベース板の表面の任意の位置に取り外し可能に設けられる付箋積層体Ｙ用の薄い板状の押え板２Ｂとから成り、使用時、前記付箋積層体Ｙの一番下位の付箋紙ａを前記押え板の裏面と前記ベース板の表面でサンドイッチ状態に挟持すると共に、該挟持状態で付箋積層体Ｙの一番上側に位置する付箋紙を剥がすことができる。
【００３８】
上記構成に於いて、マグネットシートである押え板２Ｂは、ベース板１Ｂの横幅寸法よりも若干長く設定するのが好ましい。このように構成すると、例えば図１３で示すように、押え板２Ｂの一端部又は両端部がベース板１Ｂの端部から食み出るので、食み出た端部２ｃを摘まんで、押え板２Ｂをベース板１Ｂから容易に離すことができる。
【００３９】
次に、図１５乃至図１８は、本発明の第４実施形態の付箋用保持具Ｘ３を示す各説明図である。例えば図１５に於いて、１Ｃはベース板で、このベース板１Ｃが第１実施形態のベース板１と主に異なる点は、該ベース板１Ｃの表面に一端（図面左）から他端（図面右）にかけて略直線状に表面向きの横方向嵌合凹所７を形成したことである。この横方向嵌合凹所７の内面は、背面側の垂直面７ａと、この垂直面に直交する上下の対向面７ｂ、７ｂとから成り、ベース板１Ｃの略中央部に形成されている。またベース板１Ｃの背面（裏面）に複数個（例えば合計４個）の小突起８を突設したことである。これらの小突起８は、例えば付箋用保持具Ｘ３を机やテーブルの上に置いた場合に押え部材２Ｃの存在により、ガタ、ガタするのを防止する支持突起の役割を果たす。
【００４０】
さらに、前記横方向嵌合凹所７と内面と前記押え部材２Ｃの嵌合部位１２とで挟持する押え部材２Ｃを「クリップ型」に構成したことである。
【００４１】
しかして、押え部材２Ｃは、長尺状のバー部材の略中央部を自在に折り曲げることができるクリップ構造とし、前記略中央部に位置する可撓性接続部１１と、この可撓性接続部１１の一方端に接続するアーム状の嵌合部位１２と、この嵌合部位１２と対向するように前記可撓性接続部１１の他方端に接続するアーム状の挟持部１３とから成り、前記挟持部１３の自由端部には突起状のオス側係合部１４が設けられ、また前記嵌合部位１２の自由端には内側に折り曲げられたメス側被係合部１５となっている。
【００４２】
なお、前記メス側被係合部１５には外向き突片状の摘まみ部１６が連設している。またアーム状の嵌合部位１２の形状、厚さ等は、ベース板１Ｃの横方向嵌合凹所７の形状、厚さ等を考慮して適宜に形成されている。さらに、アーム状の挟持部１３の形状、厚さ等も、アーム状の嵌合部位１２の長さ、ベース板１Ｃの小突起８の突出量を考慮して適宜に形成されている。
【００４３】
したがって、この第４実施形態の付箋用保持具Ｘ３は、ベース板１Ｃと、該ベース板の表面に一端から他端にかけて形成された表面向きの横方向嵌合凹所７と、この横方向嵌合凹所に取り外し可能に嵌合する付箋積層体Ｙ用の押え部材２Ｃとから成り、使用時、前記付箋積層体の一番下位の付箋紙ａを、前記横方向嵌合凹所７と内面と前記押え部材２Ｃの嵌合部位１２の嵌合面（外面）とで挟持することができると共に、該挟持状態で付箋積層体Ｙの一番上側に位置する付箋紙を剥がすことができる。なお、この実施形態の付箋積層体Ｙ用の押え部材２Ｃは、「クリップ型」であるが、発明の効果を逸脱しない範囲で、単なるバー状の嵌合片（嵌合部位）に設計変更することもできる。
【００４４】
次に、図１９は、本発明の第５実施形態の付箋用保持具Ｘ４で、この付箋用保持具Ｘ４が第１実施形態、第２実施形態及び第３実施形態及び第４実施形態とそれと主に異なる点は、ベース板１の裏面に単数又は複数個（例えば合計４個）の磁石９を取付けたことである。
【００４５】
このように構成すると、使用者は、自己の好きな場所（例えばラックの側壁、パネルの壁面など）に自在に装着することができると共に、付箋用保持具Ｘ４は磁石９を介して所望するパネル壁や平面に固定されていることから、付箋積層体Ｙの一番外側の付箋紙を片手で極めて容易に剥離することができる。
【００４６】
次に、図２０乃至図２３は、本発明の第６実施形態の付箋用保持具Ｘ５を示す各説明図である。特に図２２は、付箋用保持具Ｘ５を、そのクリップ片１０を介して、ノートブック、教科書、参考書、カタログ等の支持体Ｚの上端部に適宜に係止させ、かつ支持体Ｚの平坦状一側表面（表示又は裏表紙）に該付箋用保持具Ｘ５を安定的に装着し、さらに、使用時に薄い押え板２Ｄの自由端部２ｂを指で手前側に起こし、一番下の付箋ａを差し込む場合の概略説明図である。
【００４７】
ここで、主に図２１（図２０の２１−２１線断面図）或いは図２２を基準にして構成を簡単に説明する。この付箋用保持具Ｘ５が第１実施形態の付箋用保持具Ｘと主に異なる点は、（ａ）クリップ片１０をベース板１Ｄの上端部に一体的に設けたこと、（ｂ）このクリップ片１０はベース板１Ｄの上端部に突出形成したストッパー３Ｄに接続し、かつ、単数又は複数の折り曲げ片部Ｐ１、Ｐ２、Ｐ３を介して鉤状に折り返され、その先端部１０ａ側が前記ベース板１Ｄの裏面に接触或いは接近するように延びていること、（ｃ）好ましくは、このクリップ片１０は、ほぼ平面体の形状を確保しながら（硬質的機能）、前記支持体Ｚの上端を包囲する接続側の折り曲げ片部Ｐ１或いはＰ２或いは又Ｐ３のいずれかを基点にしてベース板１Ｄの背面から仮想線で示す外方向に反り（弾性変形機能）、そして、指をクリップ片１０の先端部１０ａ側から離すと、瞬間的に図２１又は図２２で示す実線の位置で示すように元の状態に戻る（弾性復帰機能）材質を適宜に選択していることである。この材質も第１実施形態と同様のものを用いる。
【００４８】
したがって、この第６実施形態の付箋用保持具Ｘ５は、ベース板１Ｄと、該ベース板の下端部にその基端部が一体的に接続する付箋積層体Ｙ用の薄い板状の押え板２Ｄと、前記ベース板の上端部に接続し、かつ、単数又は複数の折り曲げ片部（実施形態）を介して折り返され、その先端部側が前記ベース板の裏面に接触或いは接近するように延びる鉤状のクリップ片１０（実施形態）から成る付箋用保持具であって、例えば使用時に、前記付箋積層体Ｙの一番下位の付箋紙ａを前記押え板２Ｄの裏面と前記ベース板１Ｄの表面でサンドイッチ状態に挟持すると共に、該挟持状態で付箋積層体Ｙの一番上側に位置する付箋紙ｂを剥がすことができ、さらに任意に、前記付箋用保持具Ｘ５を、例えば扁平状支持体Ｚの一側表面（表示又は裏表紙）に係止させることができる。
【００４９】
ところで、実施形態では、ストッパー３Ｄに接続する折り曲げ片部は、Ｐ１、Ｐ２、Ｐ３等の折り曲げポイントを有している。この点について、図２１を参照にして付言する。符号３Ｄはベース板１Ｄの上端部１ａの端部を押え板２Ｄが存在する方向に略９０度折り曲げて形成されたストッパーである。Ｐ１は前記ストッパー３Ｄの端部から上方に略９０度折り曲げて形成された非常に短い第１折り曲げ片部の最初の折り曲げポイントである。Ｐ２は前記第１折り曲げ片部をベース板１Ｄの裏方向に向かって略度折り曲げて形成された第２折り曲げ片部の二番目の折り曲げポイントで、該第２折り曲げ片部の長さは前記ストッパー３Ｄの略２倍である。
【００５０】
したがって、第２折り曲げ片部は押え板２Ｄの背面（裏面）から突出している。さらに、Ｐ３は前記第２折り曲げ片部の端部をベース板１Ｄの背面に沿う方向へ折り曲げて形成された第３折り曲げ片部の三番目の折り曲げポイントである。
【００５１】
実施形態のクリップ片１０は、前記Ｐ１、Ｐ２、Ｐ３を含み、全体して鉤状に形成されている。そして、前記第３折り曲げ片部は、Ｐ３の折り曲げポイントから下方に延びるにしたがってベース板１Ｄの背面に接近し、先端部寄りの部位も含む先端部１０ａは、ベース板１Ｄの背面に接触し、さらに、クリップ片１０の先端は、指を掛けることができるように前記背面から若干離れている。
【００５２】
なお、実施形態如何によっては、クリップ片１０の折り曲げ片部を円弧状に形成することにより、Ｐ２やＰ３の折り曲げポイントを無くしても良い。つまり、クリップ片の形状、大きさ等は、クリップ機能を害しない範囲で任意に設計変更し得る事項である。
【００５３】
次に図２４及び図２５は、本発明の第７実施形態の付箋用保持具Ｘ６を示す各説明図である。なお、この第７実施形態は、第６実施形態に他の構成（左右の係止部２１と共に、環状の弾性押え部材２２）を加味したものであるから、この第７実施形態の説明に当たっては前記第６実施形態の符号をそのまま援用して重複する説明を割愛する。
【００５４】
この第７実施形態の発明の課題は、付箋積層体Ｙが付箋用保持具Ｘ６から外れないように一対の係止部２１に環状の弾性押え部材Ｙを掛けて付箋積層体Ｙをベース板１Ｄの表面に押え付けることができるようにすることである（付箋紙の拘束性）。この付箋紙の拘束性が第１実施形態の発明の課題に対して従属的に加味されている。
【００５５】
さて、図２４は斜視図、図２５は使用時、ベース板１Ｄの左右端部の略中央部にそれぞれ形成した複数の係止部２１に環状の弾性押え部材２２、例えば輪ゴムを掛け、付箋積層体Ｙをベース板１Ｄの表面に押え付けた状態の説明図である。
【００５６】
図２５は、好ましくは、係止部２１が左右の端面からそれぞれ突出しないように（邪魔にならないように）、例えば各端部にそれぞれ合計２の切欠をベース板１Ｄの中心部の方向に向かって略平行に所要量切込み、小突起を形成している。
【００５７】
したがって、左右端部にそれぞれ形成された左右一対の小突起は、図２５で示すように環状の弾性押え部材２２を引っ掛けるための係止部２１に相当することから、この第７実施形態の付箋用保持具Ｘ６の主要部は、「左右の両端部にそれぞれ係止部（２１）を有するベース板（１Ｄ）と、該ベース板の下端部にその基端部が一体的に接続する付箋積層体（Ｙ）用の薄い板状の押え板（２Ｄ）とから成る付箋用保持具であって、前記付箋積層体（Ｙ）の一番下位の付箋紙（ａ）を前記押え板の裏面と前記ベース板の表面でサンドイッチ状態に挟持すると共に、該挟持状態で付箋積層体（Ｙ）の一番上側に位置する付箋紙を剥がすことができ、さらに任意に、前記係止部（２１）に環状の弾性押え部材（２２）を掛けることにより前記付箋積層体（Ｙ）を前記ベース板（１Ｄ）に押え付けることができること」である。
【００５８】
この第７実施形態の付箋用保持具Ｘ６は、前記第６実施形態の付箋用保持具Ｘ５の利点を有すると共に、さらに、付箋積層体（Ｙ）を前記ベース板（１Ｄ）の表面に安定的に押え付けることができるという効果がある。なお、第６実施形態のクリップ片１０の構成並びに第７実施形態の係止部２１の構成は、前述した第１実施形態、第２実施形態等に加味しても良い。
【００５９】
最後に図２６乃至図２９は本発明の第８実施形態を示す各説明図である。この第８実施形態の付箋用保持具Ｘ７は、図２６で示すように、第７実施形態の係止部２１の考え方を一部利用している。したがって、ここでは第７実施形態との相違点を述べることにする。
この第８実施形態の付箋用保持具Ｘ７が前記第７実施形態の付箋用保持具Ｘ６と主に異なる点は、（ａ）ベース板１Ｅの上端部にクリップ片が形成されておらず、ストッパー３Ｄのみが形成されていること、（ｂ）ベース板１Ｅの左右両端部に対称的に形成された左右一対の係止部２１は、端面からの切欠によって形成されたものではなく、いわゆるプレスによって型抜きされた舌片状或いは小突片状のものであること、（ｃ）支持体Ｚに対する付箋用保持具Ｘ７自体の保持性を確保するために環状の弾性押え部材２２を利用していることである。
【００６０】
例えば図２７は左右一対の係止部２１、２１に環状の弾性押え部材２２を引っ掛けた一例を示す説明図である。この図２７で示す引っ掛けをすると、例えば図２８で示すように、付箋用保持具Ｘ７がノート、参考書等の扁平状支持体Ｚから離れないように一対の係止部２１に環状の弾性押え部材２２を適宜に掛けて付箋用保持具Ｘ７を扁平状支持体Ｚに装着させることができる。
【００６１】
実施形態では、例えば扁平状支持体Ｚの表面又は裏表紙のいずれか一方の外面に付箋用保持具Ｘ７を面接触状態で添設し、次いで環状の弾性押え部材２２の引っ掛け部分が手前から見える状態で付箋用保持具Ｙを扁平状支持体Ｚの一側表面に縛り付けるような状態で安定的に装着させている。
【００６２】
なお、図２９は付箋用保持具Ｘ７が扁平状支持体Ｚから離れないように左右一対の係止部２１、２１に環状の弾性押え部材２２を適宜に掛け、かつ該付箋用保持具Ｘ７を前記扁平状支持体Ｚの表紙或いは裏表紙の内側に挟み込んだ状態で装着させる。このように使用すると、携帯的、扁平状支持体Ｚと付箋用保持具Ｘ７と幅寸法の異なる複数の付箋積層体Ｙがバラバラにならないので、付箋紙を使用したい場合には、扁平状支持体Ｚの表紙或いは裏表紙を開き、環状の弾性押え部材２２を左右一対の係止部２１から取り外して付箋用保持具Ｘ７を直ちに使用することができる。
【００６３】
ところで、現在、付箋積層体は各種形状のものが市販されている。例えば第１実施形態の付箋用保持具Ｘでは、複数の横幅の縦７．５センチメートルの付箋積層体を並列状態でセットすることができる大きさに形成しているが、もちろん、大きさは任意に変更し得る事項である。
【産業上の利用可能性】
【００６４】
本発明は、文房具の分野で利用することができる。
【符号の説明】
【００６５】
Ｘ、Ｘ１、Ｘ２、Ｘ３、Ｘ４、Ｘ５、Ｘ６、Ｘ７…付箋用保持具、
Ｙ…付箋積層体、
Ｚ…支持体、
１、１Ａ、１Ｂ、１Ｃ、１Ｄ、１Ｅ…ベース板、
２、２Ａ、２Ｂ、２Ｃ、２Ｄ…押え板、
３、３Ｄ…ストッパー、
Ｐ１、Ｐ２、Ｐ３…各折り曲げ片部の折曲げポイント、
３ａ…ストッパーの内面、
４、４Ａ…重合領域、
５…接続部分、
７…横方向嵌合凹所、
１２…嵌合部位
１０…クリップ片、
１０ａ…先端部（先端部寄りの部位も含む）、
２１…係止部、
２２…環状の弾性押え部材。
【図１】
2019014248.tif 000003
【図２】
2019014248.tif 000004
【図３】
2019014248.tif 000005
【図４】
2019014248.tif 000006
【図５】
2019014248.tif 000007
【図６】
2019014248.tif 000008
【図７】
2019014248.tif 000009
【図８】
2019014248.tif 000010
【図９】
2019014248.tif 000011
【図１０】
2019014248.tif 000012
【図１１】
2019014248.tif 000013
【図１２】
2019014248.tif 000014
【図１３】
2019014248.tif 000015
【図１４】
2019014248.tif 000016
【図１５】
2019014248.tif 000017
【図１６】
2019014248.tif 000018
【図１７】
2019014248.tif 000019
【図１８】
2019014248.tif 000020
【図１９】
2019014248.tif 000021
【図２０】
2019014248.tif 000022
【図２１】
2019014248.tif 000023
【図２２】
2019014248.tif 000024
【図２３】
2019014248.tif 000025
【図２４】
2019014248.tif 000026
【図２５】
2019014248.tif 000027
【図２６】
2019014248.tif 000028
【図２７】
2019014248.tif 000029
【図２８】
2019014248.tif 000030
【図２９】
2019014248.tif 000031